(57)【要約】【課題】仕分けのための識別情報を含む紙文書と、当該識別情報を含まない紙文書とが混在する環境において、電子化された紙文書の仕分けに係る利便性を向上させる。【解決手段】第１の識別情報と関連付けて画像データを保管し、保管された前記第１の識別情報を少なくとも含む１以上の識別情報を選択可能に表示し、選択された複数の識別情報のそれぞれに関連付く前記画像データの一覧を比較可能に表示し、何れか一の識別情報に関連付けられた前記画像データを他の識別情報に関連付ける操作を受け付けた場合に、操作対象となった前記画像データの保管先を前記他の識別情報に変更し、前記第１の識別情報の単位で、当該第１の識別情報に関連付けられた前記画像データを外部装置に登録する。【選択図】図１０
2017173931.tif 000002
【特許請求の範囲】
【請求項１】
スキャナにより読み取られた紙文書の画像データを処理する情報処理装置であって、
前記画像データを第１の識別情報と関連付けて保管する保管手段と、
前記紙文書に含まれる第１の識別情報を、当該紙文書の前記画像データから検出する検出手段と、
前記第１の識別情報が検出された前記画像データを、当該第１の識別情報と関連付けて前記保管手段に保管する第１の仕分手段と、
前記第１の識別情報が無検出の前記画像データを、既に検出された前記第１の識別情報と関連付けて前記保管手段に保管する第２の仕分手段と、
前記保管手段に保管された前記画像データに関連付く前記第１の識別情報を少なくとも含む１以上の識別情報を選択可能な選択リストを表示する第１の表示手段と、
前記選択リストの中から選択された１の識別情報に関連付く前記画像データの一覧を、画像データの一覧を表示する複数の表示領域のうち指定された表示領域に表示する第２の表示手段と、
前記指定の表示領域に表示された前記画像データの一覧から指定された画像データを、他の表示領域に移動する操作を受け付ける受付手段と、
前記他の表示領域に選択された他の識別情報に関連付く前記画像データの一覧が表示された状態で、前記受付手段が前記操作を受け付けたことに応じて、前記指定された画像データの保管先を前記他の識別情報に変更する変更手段と、
前記保管手段が保管する前記第１の識別情報の単位で、当該第１の識別情報に関連付けられた前記画像データを外部装置に登録する登録手段と、
を備える情報処理装置。
【請求項２】
前記保管手段は、最初の前記第１の識別情報が検出されるまでに読み取られた前記画像データを、所定の第２の識別情報に関連付けて保管し、前記第１の識別情報が検出された後に読み取られる前記画像データを、当該第１の識別情報に関連付けて保管する請求項１に記載の情報処理装置。
【請求項３】
前記保管手段は、前記第１の識別情報が検出されるまでに読み取られた前記画像データを、当該第１の識別情報と関連付けて保管し、最後の前記第１の識別情報が検出された後に読み取られる前記画像データを、所定の第２の識別情報に関連付けて保管する請求項１に記載の情報処理装置。
【請求項４】
正規の前記第１の識別情報であることを示す正規情報が、前記検出手段が検出した前記第１の識別情報に含まれるか否かに応じて、当該第１の識別情報が有効か無効かを判定する判定手段を更に備え、
前記保管手段は、前記判定手段で無効と判定された前記第１の識別情報を含む前記画像データを、前記第２の識別情報に関連付けて保管する請求項１〜３の何れか一項に記載の情報処理装置。
【請求項５】
前記第１の識別情報は、前記紙文書の文書分類を示す文書分類情報を含み、
前記保管手段は、前記検出手段で検出された前記第１の識別情報に含まれる前記文書分類情報が特定の文書分類を示す場合に、当該第１の識別情報を含む前記画像データを保管の対象から除外する請求項１〜４の何れか一項に記載の情報処理装置。
【請求項６】
前記第１の表示手段は、前記登録手段により登録された前記第１の識別情報と、未登録の前記第１の識別情報とを識別可能に表示する請求項１に記載の情報処理装置。
【請求項７】
前記第２の表示手段は、一の前記識別情報に関連付けられた画像データを一覧表示するための一覧表示領域を、同一の画面内に複数表示する請求項１に記載の情報処理装置。
【請求項８】
前記第２の表示手段は、二つの前記一覧表示領域を同一の画面内に表示する請求項７に記載の情報処理装置。
【請求項９】
前記第２の表示手段は、前記一覧表示領域を上下方向又は左右方向に並べて表示する請求項７又は８に記載の情報処理装置。
【請求項１０】
前記第２の表示手段は、前記一覧表示領域の一つが選択された後、前記識別情報が選択されると、当該識別情報に関連付く前記画像データの一覧を、選択された前記一覧表示領域に表示する請求項７〜９の何れか一項に記載の情報処理装置。
【請求項１１】
前記第２の表示手段は、前記識別情報が選択される度、前記画像データを表示していない空の前記一覧表示領域に、選択された前記識別情報に関連付く前記画像データの一覧を表示する請求項７〜９の何れか一項に記載の情報処理装置。
【請求項１２】
前記第２の表示手段は、選択された前記識別情報の個数が前記一覧表示領域の個数を超える場合、予め定められた前記一覧表示領域の表示を消去し、当該一覧表示領域に前記選択された前記識別情報に関連付く前記画像データの一覧を表示する請求項１１に記載の情報処理装置。
【請求項１３】
前記第２の表示手段は、選択された前記識別情報の個数が前記一覧表示領域の個数を超える場合、選択順の古い識別情報に関連付く前記画像データの一覧を表示する前記一覧表示領域を空とし、当該一覧表示領域に前記選択された前記識別情報に関連付く前記画像データの一覧を表示する請求項１１に記載の情報処理装置。
【請求項１４】
前記第１の識別情報は、コードシンボルにコード化された状態で前記紙文書に付され、
前記検出手段は、前記紙文書の前記画像データから前記コードシンボルを検出し、当該コードシンボルが保持する前記第１の識別情報を読み出す請求項１〜１３の何れか一項に記載の情報処理装置。
【請求項１５】
スキャナにより読み取られた紙文書の画像データを処理する情報処理装置と、前記画像データを管理する文書管理装置とを有する情報処理システムであって、
前記画像データを第１の識別情報と関連付けて保管する保管手段と、
前記紙文書に含まれる第１の識別情報を、当該紙文書の前記画像データから検出する検出手段と、
前記第１の識別情報が検出された前記画像データを、当該第１の識別情報と関連付けて前記保管手段に保管する第１の仕分手段と、
前記第１の識別情報が無検出の前記画像データを、既に検出された前記第１の識別情報と関連付けて前記保管手段に保管する第２の仕分手段と、
前記保管手段に保管された前記画像データに関連付く前記第１の識別情報を少なくとも含む１以上の識別情報を選択可能な選択リストを表示する第１の表示手段と、
前記選択リストの中から選択された１の識別情報に関連付く前記画像データの一覧を、画像データの一覧を表示する複数の表示領域のうち指定された表示領域に表示する第２の表示手段と、
前記指定の表示領域に表示された前記画像データの一覧から指定された画像データを、他の表示領域に移動する操作を受け付ける受付手段と、
前記他の表示領域に選択された他の識別情報に関連付く前記画像データの一覧が表示された状態で、前記受付手段が前記操作を受け付けたことに応じて、前記指定された画像データの保管先を前記他の識別情報に変更する変更手段と、
前記保管手段が保管する前記第１の識別情報の単位で、当該第１の識別情報に関連付けられた前記画像データを前記文書管理装置に登録する登録手段と、
を備える情報処理システム。
【請求項１６】
スキャナにより読み取られた紙文書の画像データを処理する情報処理方法であって、
前記紙文書に含まれる第１の識別情報を、当該紙文書の前記画像データから検出する検出ステップと、
前記第１の識別情報が検出された前記画像データを、当該第１の識別情報と関連付けて保管手段に保管する第１の仕分ステップと、
前記第１の識別情報が無検出の前記画像データを、既に検出された前記第１の識別情報と関連付けて前記保管手段に保管する第２の仕分ステップと、
前記保管手段に保管された前記画像データに関連付く前記第１の識別情報を少なくとも含む１以上の識別情報を選択可能な選択リストを表示する第１の表示ステップと、
前記選択リストの中から選択された１の識別情報に関連付く前記画像データの一覧を、画像データの一覧を表示する複数の表示領域のうち指定された表示領域に表示する第２の表示ステップと、
前記指定の表示領域に表示された前記画像データの一覧から指定された画像データを、他の表示領域に移動する操作を受け付ける受付ステップと、
前記他の表示領域に選択された他の識別情報に関連付く前記画像データの一覧が表示された状態で、前記受付手段が前記操作を受け付けたことに応じて、前記指定された画像データの保管先を前記他の識別情報に変更する変更ステップと、
前記保管手段が保管する前記第１の識別情報の単位で、当該第１の識別情報に関連付けられた前記画像データを登録する登録ステップと、
を含む情報処理方法。
【請求項１７】
スキャナにより読み取られた紙文書の画像データを処理するコンピュータを、
前記画像データを第１の識別情報と関連付けて保管する保管手段と、
前記紙文書に含まれる第１の識別情報を、当該紙文書の前記画像データから検出する検出手段と、
前記第１の識別情報が検出された前記画像データを、当該第１の識別情報と関連付けて前記保管手段に保管する第１の仕分手段と、
前記第１の識別情報が無検出の前記画像データを、既に検出された前記第１の識別情報と関連付けて前記保管手段に保管する第２の仕分手段と、
前記保管手段に保管された前記画像データに関連付く前記第１の識別情報を少なくとも含む１以上の識別情報を選択可能な選択リストを表示する第１の表示手段と、
前記選択リストの中から選択された１の識別情報に関連付く前記画像データの一覧を、画像データの一覧を表示する複数の表示領域のうち指定された表示領域に表示する第２の表示手段と、
前記指定の表示領域に表示された前記画像データの一覧から指定された画像データを、他の表示領域に移動する操作を受け付ける受付手段と、
前記他の表示領域に選択された他の識別情報に関連付く前記画像データの一覧が表示された状態で、前記受付手段が前記操作を受け付けたことに応じて、前記指定された画像データの保管先を前記他の識別情報に変更する変更手段と、
前記保管手段が保管する前記第１の識別情報の単位で、当該第１の識別情報に関連付けられた前記画像データを外部装置に登録する登録手段と、
して機能させるためのプログラム。
【請求項１８】
請求項１７に記載のプログラムを記憶する記憶媒体。
【発明の詳細な説明】
【技術分野】
【０００１】
本発明は、情報処理装置、情報処理システム、情報処理方法、プログラム及び記憶媒体に関する。
【背景技術】
【０００２】
近年、情報の一元管理や共有化の目的のため、紙文書を電子化することが様々な分野で行われている。一般的に電子化は、紙文書をスキャナ装置で読み取らせることで行われる。電子化により生成された電子データは、元の紙文書の属性に応じて仕分けされ、共有化のためデータベース等に登録される。
【０００３】
例えば、病院等の医療現場では、患者の紙文書を医師や看護師、事務職員等の医療従事者が電子化作業を行い、生成された電子データを患者毎に仕分けした後、電子カルテシステム等のデータベースに登録することが行われている。従来、患者を識別する識別情報を予め紙文書に印字しておき、電子化の際に読み取った識別情報を介して、対応する患者の電子カルテに文書データを関連付けて記憶する技術が提案されている（例えば、特許文献１参照）。
【発明の概要】
【発明が解決しようとする課題】
【０００４】
しかしながら、上述した従来技術は、全ての紙文書に識別情報が含まれることを前提としているため、識別情報を含まない紙文書に適用するのは困難である。例えば、医療現場で用いられる紹介状は、他の医療機関から持ち込まれる紙文書であるため、有効な識別情報を含んでいないことが一般的である。このように、識別情報を含まない紙文書が混在する場合、従来技術では適切に仕分けすることができないまま、登録が行われてしまう可能性があった。また、従来技術では、電子データが登録すべきものか否かを確認することができず、利便性の上で改善の余地があった。
【０００５】
本発明は、上記に鑑みてなされたものであって、仕分けのための識別情報を含む紙文書と、当該識別情報を含まない紙文書とが混在する環境において、電子化された紙文書の仕分けに係る利便性を向上させることを目的とする。
【課題を解決するための手段】
【０００６】
上述した課題を解決し、目的を達成するために、本発明は、スキャナにより読み取られた紙文書の画像データを処理する情報処理装置であって、前記画像データを第１の識別情報と関連付けて保管する保管手段と、前記紙文書に含まれる第１の識別情報を、当該紙文書の前記画像データから検出する検出手段と、前記第１の識別情報が検出された前記画像データを、当該第１の識別情報と関連付けて前記保管手段に保管する第１の仕分手段と、前記第１の識別情報が無検出の前記画像データを、既に検出された前記第１の識別情報と関連付けて前記保管手段に保管する第２の仕分手段と、前記保管手段に保管された前記画像データに関連付く前記第１の識別情報を少なくとも含む１以上の識別情報を選択可能な選択リストを表示する第１の表示手段と、前記選択リストの中から選択された１の識別情報に関連付く前記画像データの一覧を、画像データの一覧を表示する複数の表示領域のうち指定された表示領域に表示する第２の表示手段と、前記指定の表示領域に表示された前記画像データの一覧から指定された画像データを、他の表示領域に移動する操作を受け付ける受付手段と、前記他の表示領域に選択された他の識別情報に関連付く前記画像データの一覧が表示された状態で、前記受付手段が前記操作を受け付けたことに応じて、前記指定された画像データの保管先を前記他の識別情報に変更する変更手段と、前記保管手段が保管する前記第１の識別情報の単位で、当該第１の識別情報に関連付けられた前記画像データを外部装置に登録する登録手段と、を備える。
【発明の効果】
【０００７】
本発明によれば、仕分けのための識別情報を含む紙文書と、当該識別情報を含まない紙文書とが混在する環境において、電子化された紙文書の仕分けに係る利便性を向上させることができる。
【図面の簡単な説明】
【０００８】
【図１】図１は、実施形態に係る情報処理システムの構成の一例を示す図である。
【図２】図２は、データベースが記憶・管理する文書データの一例を示す図である。
【図３】図３は、文書管理サーバ及び端末装置で実行されるコードシンボル発行処理の一例を示すフローチャートである。
【図４】図４は、紙文書の読み取り順序の一例を模式的に示す図である。
【図５】図５は、仕分処理装置のハードウェア構成の一例を示す図である。
【図６】図６は、仕分処理装置の機能構成の一例を示す図である。
【図７】図７は、仕分処理装置が実行する仕分処理の一例を示すフローチャートである。
【図８】図８は、画像データの記憶・管理に係る記憶部のフォルダ構造の一例を示す図である。
【図９】図９は、仕分処理装置が実行する仕分結果確認処理の一例を示すフローチャートである。
【図１０】図１０は、仕分結果確認画面の一例を示す図である。
【図１１】図１１は、一覧表示領域の表示制御を説明するための図である。
【図１２】図１２は、一覧表示領域の表示制御を説明するための図である。
【図１３】図１３は、一覧表示領域の表示制御を説明するための図である。
【図１４】図１４は、一覧表示領域の表示制御を説明するための図である。
【図１５】図１５は、一覧表示領域の表示制御を説明するための図である。
【図１６】図１６は、一覧表示領域の表示制御を説明するための図である。
【図１７】図１７は、一覧表示領域間でのサムネイルの移動操作を説明するための図である。
【図１８】図１８は、仕分処理装置が実行する登録処理の一例を示すフローチャートである。
【図１９】図１９は、画像データの記憶・管理に係る記憶部のフォルダ構造の他の例を示す図である。
【図２０】図２０は、データベースが記憶・管理する文書データの他の例を示す図である。
【図２１】図２１は、実施形態に係る情報処理システムの構成の他の例を示す図である。
【図２２】図２２は、仕分処理装置が実行する仕分処理の他の例を示すフローチャートである。
【発明を実施するための形態】
【０００９】
以下、添付図面を参照しながら、本発明に係る情報処理装置、情報処理システム、情報処理方法、プログラム及び記憶媒体の実施形態を詳細に説明する。なお、以下の実施形態では、本発明を病院等の医療現場に適用した例について説明するが、この実施形態によりこの発明が限定されるものではない。
【００１０】
［情報処理システムについて］
図１は、本実施形態に係る情報処理システムの構成の一例を示す図である。図１に示すように、文書管理システムは、文書管理サーバ１０と、端末装置２０と、プリンタ装置３０と、スキャナ装置４０と、仕分処理装置５０とを有する。
【００１１】
文書管理サーバ１０は、例えばサーバ装置であり、端末装置２０及び仕分処理装置５０と、ＬＡＮ（Local  Area  Network）等のネットワークＮ１を介して通信可能に接続される。文書管理サーバ１０は、本システムに係る各種の情報を一元的に記憶・管理するための記憶管理手段としてデータベース１１を備える。
【００１２】
データベース１１は、医師や看護師、事務職員等の各医療従事者を識別するための職員ＩＤに関連付けて、その医療従事者の氏名や所属する診療科等が記録された職員情報を記憶・管理する。また、データベース１１は、各患者を識別するための患者ＩＤに関連付けて、当該患者の氏名や性別、年齢等を記録した患者情報を記憶・管理する。また、データベース１１は、各患者の患者ＩＤに関連付けて、当該患者の文書データを記憶・管理する。文書管理サーバ１０は、端末装置２０や仕分処理装置５０から送信される文書データを、指定された患者ＩＤに関連付けてデータベース１１に登録する。
【００１３】
ここで、図２は、データベース１１が記憶・管理する文書データの一例を示す図である。この図２では、患者ＩＤが「１０００１０１」の患者に関連付けられた文書データを示している。図２に示すように、データベース１１は、患者ＩＤに関連付けて各種の文書データを記憶・管理する。文書データの項目（文書分類）としては、診療記録や検査報告、問診票、紹介状、診断書、説明・同意書等が挙げられる。また、データベース１１は、文書データを、当該文書データの登録が行われた日付単位で記憶・管理する。例えば、図２では、２０１５年７月２２日に、１回目の診療記録が登録され、２０１５年８月１２日に、２回目の診療記録が登録されたことを表している。
【００１４】
また、文書管理サーバ１０は、端末装置２０や仕分処理装置５０からの要求に応じて、データベース１１が記憶・管理する情報や文書データを提供する。例えば、文書管理サーバ１０は、端末装置２０から、特定の患者ＩＤを指定した文書データの参照要求を受け付けると、その患者ＩＤに関する文書データをデータベース１１から検索し、該当する電子データを参照可能に提供する。また、文書管理サーバ１０は、端末装置２０に提供した電子データに対する編集操作を受け付けると、その編集内容を対応する電子データに反映する。
【００１５】
端末装置２０は、医師等の医療従事者が操作するＰＣ（Personal  Computer）等の端末装置である。端末装置２０は、プリンタ装置３０と接続され、医師が作成した紙文書等を印字することが可能となっている。なお、図１では、端末装置２０とプリンタ装置３０とを直接接続する構成としたが、これに限らないものとする。例えば、プリンタ装置３０をネットワークＮ１に接続することで、他の装置からも利用可能なネットワークプリンタとしてもよい。また、端末装置２０の台数は特に問わず、複数台であってもよい。
【００１６】
ところで、病院等の医療現場では、電子カルテ等の予め電子化された文書データとともに、紙媒体の紙文書が依然として使用されている。例えば、他の医療機関から持ち込まれる紹介状は、紙文書であることが一般的である。また、患者のサインを記入する説明・同意書等では、紙文書を用いることが一般的である。このような紙文書は、文書データに電子化し、文書管理サーバ１０のデータベース１１に登録することで、各患者の文書データを一括で管理することができる。そのため、電子化された文書データを患者毎に仕分けして登録する必要がある。
【００１７】
そこで、本実施形態の情報処理システムでは、紙文書の電子化に伴う仕分け及び登録を効率的に行うための構成を備えている。具体的には、本システムでは、紙文書を電子化する前に行うコードシンボル発行処理と、紙文書を電子化する電子化処理と、電子化された紙文書を仕分けする仕分処理と、仕分結果の確認と編集を行う仕分結果確認処理と、文書管理サーバ１０（データベース１１）への登録を行う登録処理との、５つの処理が実行される。以下、これらの各処理について説明する。
【００１８】
［コードシンボル発行処理］
まず、図３を参照して、コードシンボル発行処理について説明する。ここで、図３は、文書管理サーバ１０及び端末装置２０で実行されるコードシンボル発行処理の一例を示すフローチャートである。なお、このフローチャートの処理は、文書管理サーバ１０及び端末装置２０の各々が備えるＣＰＵ（Central  Processing  Unit）上で動作するプログラムにより実行される。
【００１９】
まず、端末装置２０は、医療従事者により紙文書の電子化が指示されるまで待機する（ステップＳ１１；Ｎｏ）。端末装置２０は、紙文書の電子化が指示され、紙文書に係る患者の患者ＩＤが入力されると（ステップＳ１１；Ｙｅｓ）、その患者ＩＤを含んだ電子化要求を文書管理サーバ１０に送信する（ステップＳ１２）。
【００２０】
ステップＳ１２において、複数の患者ＩＤが入力された場合、端末装置２０は、患者ＩＤ毎に電子化要求を送信してもよいし、複数の患者ＩＤを一の電子化要求に含めてもよい。また、医療従事者は、自らの職員ＩＤや、後述する仕切紙の文書分類を示す文書分類情報、紙文書に関する書誌情報を、電子化要求とともに送信してもよい。なお、文書分類情報では、カバーシートと、当該カバーシート以外の文書とを少なくとも指示することが可能であるとする。
【００２１】
一方、文書管理サーバ１０では、端末装置２０から送信される電子化要求を待機する（ステップＳ２１；Ｎｏ）。文書管理サーバ１０は、端末装置２０から電子化要求を受け付けると（ステップＳ２１；Ｙｅｓ）、その電子化要求に含まれる患者ＩＤ毎に、当該患者ＩＤを含んだコードシンボルを生成する（ステップＳ２２）。
【００２２】
ここで、コードシンボルは、バーコードや二次元コード等であり、患者ＩＤの他、正規のコードシンボルであることを示す正規情報を含む。正規情報は、本システム（医療機関）において予め定められた固定の数列等であり、正規情報の有無によって文書管理サーバ１０で発行された正規のコードシンボルか否かを判別することができる。
【００２３】
また、コードシンボルは、上記した患者ＩＤ及び正規情報に限らず、他の情報を含んでいてもよい。例えば、文書管理サーバ１０は、端末装置２０から電子化要求とともに通知された書誌情報をコードシンボルに含めてもよい。また、文書管理サーバ１０は、電子化要求を受け付けた日時を示す日時情報をコードシンボルに含めてもよい。日時情報は、受け付けた日時がユニークとなるよう、年、月、日、時、分及び秒の単位で記録することが好ましい。なお、本実施形態において、第１の識別情報は、コードシンボルにコード化された情報（以下、コード情報という）の一部又は全てを意味し、患者ＩＤを少なくとも含むものとする。
【００２４】
続いて、文書管理サーバ１０は、生成したコードシンボルを、要求元の端末装置２０に送信する（ステップＳ２３）。ステップＳ２３に伴い、端末装置２０では、電子化要求に対する応答としてコードシンボルを受信する（ステップＳ１３）。そして、端末装置２０は、プリンタ装置３０を制御し、受信したコードシンボルを所定の用紙に印字させることで、後述する仕切紙を発行する（ステップＳ１４）、本処理を終了する。
【００２５】
ここで、コードシンボルを印字する用紙は特に問わないものとする。例えば、用紙は白紙であってもよいし、医師により別途作成された説明・同意書等の紙文書であってもよい。前者の場合、コードシンボルが印字された用紙（紙文書）の文書分類はカバーシートとして指示することが好ましい。また、カバーシートにコードシンボルを印字する場合、コードシンボルとともに、当該コードシンボルに含まれる患者ＩＤや、当該患者ＩＤに対応する患者名等の患者情報を視認可能な状態で印字することが好ましい。患者情報は、例えば、患者ＩＤをキーとしデータベース１１から検索することで取得することができる。
【００２６】
このように、コードシンボル発行処理では、電子化対象の紙文書に係る患者毎に、コードシンボルが印字された用紙が発行される。そして、後述する電子化処理では、このコードシンボルが印字された用紙を紙文書の間に挿入することで、当該用紙を患者毎の紙文書を仕切る仕切紙として使用する。
【００２７】
［電子化処理］
次に、電子化処理について説明する。電子化処理は、電子化の対象となる紙文書を、図１に示すスキャナ装置４０に読み取らせることで実行される。
【００２８】
スキャナ装置４０は、紙文書を光学的に読み取り、デジタルの画像データに変換するスキャナ機能を有した装置である。スキャナ装置４０は、例えば、スキャナや、スキャナ機能とともにプリンタ機能等の複数の機能を備えるＭＦＰ（Multifunction  Peripheral）等によって実現される。スキャナ装置４０は、仕分処理装置５０に接続され、読み取った画像データを仕分処理装置５０に出力する。なお、図１では、スキャナ装置４０と仕分処理装置５０とを直接接続する構成としたが、これに限らないものとする。例えば、スキャナ装置４０をネットワークＮ１に接続することで、ネットワークＮ１を介して仕分処理装置５０に画像データを出力（送信）する構成としてもよい。
【００２９】
電子化の対象となる紙文書は、例えば、図４に示す順序でスキャナ装置４０に読み取らせる。図４は、紙文書の読み取り順序の一例を模式的に示す図である。図４において、図中矢印方向はページ００１からページ０１０の紙文書に向かって順次読み取らせることを意味する。また、×印が付されたページ００１、００４、００７、００８、０１０は、コードシンボルがない紙文書を意味する。○印が付されたページ００３、００６は、正規情報を含むコードシンボルが付された紙文書（仕切紙）を意味する。△印が付されたページ００２、００５、００９は、正規情報を含まないコードシンボルが付された紙文書を意味する。
【００３０】
ここで、○印が付されたページ００３、００６は、そのページのコードシンボルに含まれた患者ＩＤに対応する患者の紙文書群の先頭ページに位置する。つまり、最初の○印が付されたページ００３から次の○印が付されたページ００６の直前のページ００５までと、○印が付されたページ００６から末尾のページ０１０までとが、それぞれ互いに異なる一の患者の紙文書群を意味する。また、最初の○印が付されたページ００３までのページ００１及びページ００２には、患者を特定することができない紙文書が配置される。なお、図４では、ページ００３からページ００５を患者１（患者ＩＤ：１０００１０１）の紙文書としており、ページ００６からページ０１０を患者２（患者ＩＤ：１０００１０２）の紙文書としている。
【００３１】
紙文書の読み取り作業を行う医療従事者は、図４に示したページ順序のように、複数の患者の紙文書を一纏めにし、スキャナ装置４０にセットすることで、一括で読み取りを行わせる。スキャナ装置４０は、セットされた紙文書を順次読み取り、読み取った画像データを仕分処理装置５０に出力することで電子化処理を実行する。なお、スキャナ装置４０は、読み取った順序を示すページ番号と、読み取り日時（年、月、日、時、分、秒）を示す日時情報とを、画像データのファイル名に付与するものとする。
【００３２】
［仕訳処理装置について］
次に、仕分処理、仕分結果確認処理、登録処理について説明する。仕分処理、仕分結果確認処理、登録処理は、図１に示した仕分処理装置５０によって実行される。
【００３３】
仕分処理装置５０は、ＰＣ（Personal  Computer）等の情報処理装置である。仕分処理装置５０は、スキャナ装置４０から出力された画像データを取得し、当該画像データを患者ＩＤに関連付けて保管することで、電子化された紙文書を仕分けする仕分処理を行う。また、仕分処理装置５０は、仕分処理の結果を示す仕分結果確認画面を表示し、ユーザからの指示に応じて仕分先を変更する仕分結果確認処理を実行する。また、仕分処理装置５０は、仕分けが完了した画像データを、文書データとして文書管理サーバ１０（データベース１１）に登録する登録処理を実行する。
【００３４】
図５は、仕分処理装置５０のハードウェア構成の一例を示す図である。図５に示すように、仕分処理装置５０は、ＣＰＵ５１と、ＲＡＭ（Random  Access  Memory）５２と、ＲＯＭ（Read  Only  Memory）５３と、記憶部５４と、通信Ｉ／Ｆ（Interface）５５と、表示部５６と、操作入力部５７とを備える。これらのハードウェアは、バス５８により互いに接続される。
【００３５】
ＣＰＵ５１は、仕分処理装置５０の動作を統括的に制御する。ＣＰＵ５１は、ＲＡＭ５２をワークエリア（作業領域）として、ＲＯＭ５３や記憶部５４に格納されたプログラムを実行することで、仕分処理装置５０全体の動作を制御する。ＲＡＭ５２は、ＣＰＵ５１のワークエリアとして機能する。また、ＲＡＭ５２は、後述する仕分処理において、コード情報を一時記憶するための一時記憶領域５２１として機能する。この一時記憶領域５２１は、初期状態において空（Ｎｕｌｌ）であり、新たなコード情報が上書き保存（記憶）されることで、一のコード情報のみが保持されるよう構成されている。
【００３６】
ＲＯＭ５３は、ＣＰＵ５１が実行する各種のプログラムや設定情報を記憶する。記憶部５４は、ＣＰＵ５１が実行する各種のプログラムや設定情報を記憶する。また、記憶部５４は、後述する仕分処理部５１４（図６参照）と協働することで保管手段として機能し、仕分けされた画像データを格納（保管）する。
【００３７】
通信Ｉ／Ｆ５５は、外部装置（例えば、文書管理サーバ１０、スキャナ装置４０等）と通信するためのインタフェースである。表示部５６は、表示デバイスを有し、ユーザに向けた各種情報の表示を行なう。操作入力部５７は、ポインティングデバイスやタッチパネル等の入力デバイスを有し、ユーザからの入力操作を受け付ける。
【００３８】
図６は、仕分処理装置５０の機能構成の一例を示す図である。図６に示すように、仕分処理装置５０は、取得部５１１と、検出部５１２と、判定部５１３と、仕分処理部５１４と、表示制御部５１５と、編集処理部５１６と、登録処理部５１７とを有する。上記各部は、これらの一部又は全てがソフトウェア（プログラム）で実現されてもよいし、ハードウェア回路で実現されてもよい。
【００３９】
取得部５１１は、スキャナ装置４０から出力される画像データを取得する。取得部５１１は、取得した画像データをワークエリアに記憶する。
【００４０】
検出部５１２は、検出手段に対応し、取得部５１１が取得した画像データからコードシンボルを検出する。検出部５１２は、画像データからコードシンボルを検出すると、そのコードシンボルをデコードすることで患者ＩＤ等のコード情報を読み取る。
【００４１】
判定部５１３は、判定手段に対応し、検出部５１２により読み取られたコード情報の中に、正規情報が含まれるか否かを判定する。コード情報の中に正規情報が含まれる場合、判定部５１３は、そのコード情報を有効と判定する。また、コード情報の中に正規情報が含まれない場合、判定部５１３は、そのコード情報を無効と判定する。
【００４２】
仕分処理部５１４は、第１の仕分手段及び第２の仕分手段に対応する。仕分処理部５１４は、検出部５１２により有効と判定されたコード情報に含まれる患者ＩＤに基づいて、取得部５１１が取得した画像データの仕分けを行う。具体的には、仕分処理部５１４は、最初のコードシンボルが検出されるまでに取得した画像データを未仕分フォルダに格納し、コードシンボルの検出後に読み取られる画像データを、当該コードシンボルに含まれたコード情報に対応する仕分フォルダに格納する。なお、仕分処理部５１４の詳細な動作については後述する。
【００４３】
表示制御部５１５は、仕分処理装置５０の操作に係るＵＩ（User  Interface）等の各種の画面を生成し、当該画面を表示部５６に表示させる。例えば、表示制御部５１５は、仕分処理部５１４による仕分け結果を確認するための仕分結果確認画面を表示部５６に表示させる。
【００４４】
編集処理部５１６は、変更手段に対応する機能部である。編集処理部５１６は、表示制御部５１５と協働し、操作入力部５７を介した操作入力に応じて、画像データの仕分け先等を変更する。
【００４５】
登録処理部５１７は、登録手段に対応する機能部である。登録処理部５１７は、操作入力部５７を介した操作入力に応じて、仕分けが完了した画像データを文書データとして、文書管理サーバ１０に送信することで登録を行う。
【００４６】
［仕分処理］
次に、図７を参照して、仕分処理に係る仕分処理装置５０の動作について説明する。図７は、仕分処理装置５０が実行する仕分処理の一例を示すフローチャートである。なお、本処理の前提として、図４に示したような順序で紙文書の読み取りがスキャナ装置４０で行われるとする。
【００４７】
まず、取得部５１１は、スキャナ装置４０で読み取られた画像データを取得する（ステップＳ３１）。検出部５１２は、取得部５１１が取得した画像データからコードシンボルを検出できるか否かを判定する（ステップＳ３２）。コードシンボルが検出されない場合（ステップＳ３２；Ｎｏ）、仕分処理部５１４は、ＲＡＭ５２の一時記憶領域５２１にコード情報が保存されているか否かを判定する（ステップＳ３３）。
【００４８】
例えば、ステップＳ３１で、図４に示したページ００１の画像データが取得されると、当該画像データにはコードシンボルが存在しないため、検出部５１２は、ステップＳ３２でコードシンボルが検出されないと判定する（ステップＳ３２；Ｎｏ）。またこのとき、一時記憶領域５２１は空であるため、仕分処理部５１４は、ステップＳ３３でコード情報が保存されていないと判定する（ステップＳ３３；Ｎｏ）。
【００４９】
続いて、仕分処理部５１４は、患者ＩＤが不明の画像データを格納する未仕分フォルダが記憶部５４に存在するか否かを判定する（ステップＳ３４）。未仕分フォルダが存在しない場合（ステップＳ３４；Ｎｏ）、仕分処理部５１４は、画像データに付された日時情報に基づいて未仕分フォルダを生成する（ステップＳ３５）。そして、仕分処理部５１４は、生成した未仕分フォルダに画像データを格納し（ステップＳ３６）、ステップＳ４７に移行する。
【００５０】
例えば、図４に示したページ００１の画像データの段階では、未仕分フォルダは記憶部５４に存在しない。そのため、仕分処理部５１４は、ステップＳ３５において未仕分フォルダを生成し、ステップＳ３６で、ページ００１の画像データを未仕分フォルダに格納する。
【００５１】
続くステップＳ４７において、取得部５１１は、次の画像データが存在するか否かを判定する（ステップＳ４７）。画像データが存在する場合（ステップＳ４７；Ｎｏ）、取得部５１１は、ステップＳ３１に戻る。また、次の画像データが存在しない場合（ステップＳ４７；Ｙｅｓ）、本処理を終了する。なお、ページ００１の画像データの段階では、次の画像データが存在するためステップＳ３１に戻る。
【００５２】
次のステップＳ３１で、図４に示したページ００２の画像データが取得されると、当該画像データにはコードシンボルが存在するため、検出部５１２は、ステップＳ３２でコードシンボルを検出したと判定する（ステップＳ３２；Ｙｅｓ）。この場合、検出部５１２は、検出したコードシンボルからコード情報を読み取る。次いで、判定部５１３は、検出部５１２が読み取ったコード情報が有効か無効かを判定する（ステップＳ３７）。ここで、コード情報を無効と判定した場合（ステップＳ３７；Ｎｏ）、ステップＳ３３に移行する。
【００５３】
例えば、ページ００２の画像データのコードシンボルには正規情報が含まれないため、判定部５１３は、ステップＳ３７でコード情報を無効と判定する。このとき一時記憶領域５２１は空であるため、仕分処理部５１４は、ステップＳ３３でコード情報が保存されていないと判定する。また、先に未仕分フォルダを生成しているため、仕分処理部５１４は、ステップＳ３４で未仕分フォルダが記憶部５４に存在すると判定する（ステップＳ３４；Ｙｅｓ）。この場合、仕分処理部５１４は、ステップＳ３６でページ００２の画像データを未仕分フォルダに格納し、ステップＳ４７に移行する。ページ００２の画像データの段階では、次の画像データが存在するためステップＳ３１に戻る。
【００５４】
次のステップＳ３１で、図４に示したページ００３の画像データが取得されると、当該画像データにはコードシンボルが存在するため、検出部５１２は、ステップＳ３２でコードシンボルを検出したと判定する（ステップＳ３２；Ｙｅｓ）。また、ページ００３の画像データのコードシンボルには正規情報が含まれるため、判定部５１３は、ステップＳ３７で、コード情報を有効と判定する。
【００５５】
判定部５１３によりコード情報が有効と判定されると（ステップＳ３７；Ｙｅｓ）、仕分処理部５１４は、そのコード情報をＲＡＭ５２の一時記憶領域５２１に上書き保存する（ステップＳ３８）。続いて、仕分処理部５１４は、ステップＳ３８で保存したコード情報に対応する仕分フォルダが、記憶部５４に存在するか否かを判定する（ステップＳ３９）。ここで、コード情報に対応する仕分フォルダは、当該コード情報について、後述するステップＳ４１又はＳ４２で生成された仕分フォルダを意味する。
【００５６】
コード情報に対応する仕分フォルダが存在しない場合（ステップＳ３９；Ｎｏ）、仕分処理部５１４は、ステップＳ４０に移行する。また、コード情報に対応する仕分フォルダが存在する場合（ステップＳ３９；Ｙｅｓ）、同一のコードシンボルが複数回読み取られたことを意味する。この場合、仕分処理部５１４は、ステップＳ４３に移行する。このとき、仕分処理部５１４は、同一のコードシンボルが複数回読み取られたことを報知する報知画面を表示部５６に表示させてもよい。
【００５７】
例えば、ページ００３の画像データのコードシンボルには正規情報が含まれるため、判定部５１３は、ステップＳ３７でコード情報を有効と判定する。また、仕分処理部５１４は、コードシンボルから読み取られたコード情報を、ステップＳ３８で一時記憶領域５２１に上書き保存する。またこのとき、コード情報に対応する仕分フォルダは存在しないため、仕分処理部５１４は、ステップＳ３９で存在しないと判定する。
【００５８】
続くステップＳ４０において、仕分処理部５１４は、ステップＳ３８で保存したコード情報に日時情報が含まれるか否かを判定する（ステップＳ４０）。コード情報に日時情報が含まれる場合（ステップＳ４０；Ｙｅｓ）、仕分処理部５１４は、コード情報に含まれた患者ＩＤ及び日時情報に基づいて仕分フォルダを生成し（ステップＳ４１）、ステップＳ４３に移行する。一方、コード情報に日時情報が含まれない場合（ステップＳ４０；Ｎｏ）、仕分処理部５１４は、コード情報に含まれた患者ＩＤと、画像データに付された日時情報とに基づいて仕分フォルダを生成し（ステップＳ４２）、ステップＳ４３に移行する。
【００５９】
続いて、仕分処理部５１４は、コード情報に含まれた文書分類情報に基づき、文書分類がカバーシートか否かを判定する（ステップＳ４３）。文書分類がカバーシートの場合（ステップＳ４３；Ｙｅｓ）、仕分処理部５１４は、画像データを消去することで仕分けの対象から除外し（ステップＳ４４）、ステップＳ４７に移行する。ここで、カバーシートは、コードシンボルに関する情報のみが印字された用紙（紙文書）であるため、ステップＳ４４で仕分けの対象から除外しておくことで、後からカバーシートを取り除く等の手間を省くことができる。なお、ステップＳ４４において、画像データを保持したまま、仕分フォルダへの格納を抑制することで、仕分けの対象から除外する構成としてもよい。
【００６０】
また、文書分類がカバーシート以外の場合（ステップＳ４３；Ｎｏ）、仕分処理部５１４は、ステップＳ４１又はＳ４２で生成した仕分フォルダに画像データを格納し（ステップＳ４５）、ステップＳ４７に移行する。ページ００３の画像データの段階では、次の画像データが存在するためステップＳ３１に戻る。
【００６１】
次のステップＳ３１で、図４に示したページ００４の画像データが取得されると、当該画像データにはコードシンボルが存在するため、検出部５１２は、ステップＳ３２でコードシンボルを検出したと判定する。また、ページ００３の画像データのコードシンボルには正規情報が含まれないため、判定部５１３は、ステップＳ３７で、コード情報を無効と判定する。このとき、一時記憶領域５２１にコード情報が保存されているため、仕分処理部５１４は、ステップＳ３３でコード情報が保存されていると判定する。
【００６２】
仕分処理部５１４は、ステップＳ３３でコード情報が保存されていると判定した場合（ステップＳ３３；Ｙｅｓ）、そのコード情報に対応する仕分フォルダに画像データを格納し（ステップＳ４６）、ステップＳ４７に移行する。
【００６３】
つまり、ページ００４の画像データは、ページ００３の画像データの際に生成された仕分フォルダに格納されることになる。また、ページ００５の画像データについても、ステップＳ３２；Ｙｅｓ→ステップＳ３７；Ｎｏ→ステップＳ３３；Ｙｅｓの手順で、ステップＳ４６に移行し、ページ００４の画像データと同様にページ００３の画像データの際に生成された仕分フォルダに格納されることになる。
【００６４】
また、次のステップＳ３１で、図４に示したページ００６の画像データが取得されると、ステップＳ３２；Ｙｅｓ→ステップＳ３７；Ｙｅｓの手順で、ステップＳ３８に移行する。この場合、仕分処理部５１４は、ページ００６のコードシンボルから読み取られたコード情報を、ステップＳ３８で一時記憶領域５２１に上書き保存し、当該コード情報に基づいて仕分フォルダをステップＳ４１又はステップＳ４２で生成する。次いで、仕分処理部５１４は、ページ００６の文書分類がカバーシート以外の場合に、ページ００６の画像データを生成した仕分けフォルダに格納する。また、仕分処理部５１４は、ページ００４、００５の画像データと同様に、ステップＳ３１で順次取得されるページ００７〜０１０の画像データを、ページ００６の画像データの際に生成された仕分フォルダに格納する。
【００６５】
ここで、図８を参照して、画像データの記憶・管理に係る記憶部５４のフォルダ（ディレクトリ）構造について説明する。図８は、画像データの記憶・管理に係る記憶部５４のフォルダ構造の一例を示す図である。
【００６６】
図８に示すように、記憶部５４は、「作業フォルダ」をルートフォルダとする、二つのサブフォルダ「未処理」と「登録済」とを有する。未処理フォルダは、登録前の画像データが格納される領域であり、登録済フォルダは、登録済の画像データが格納される領域である。
【００６７】
未処理フォルダ内において、上述した未仕分フォルダは、日時フォルダとコード無しフォルダとの組に対応する。具体的には、「２０１５０８１７１０１００９」をフォルダ名とする日時フォルダと、当該日時フォルダ内に格納されたコード無しフォルダとの組に対応する。ここで、未仕分フォルダのファイル名は、第２の識別情報に対応する。なお、未仕分フォルダは、図８の例に限らず、例えば未処理フォルダの直下に配置したコード無しフォルダとしてもよい。
【００６８】
また、未処理フォルダ内において、上述した仕分フォルダは、日時フォルダと患者ＩＤフォルダとの組に対応する。具体的には、「２０１５０８１７１０１０１０」をフォルダ名とする日時フォルダと、当該日時フォルダ内に格納された患者ＩＤ「１０００１０１」をフォルダ名とする患者ＩＤフォルダとの組に対応する。また、「２０１５０８１４１７２０２０」をフォルダ名とする日時フォルダと、当該日時フォルダ内に格納された患者ＩＤ「１０００１０２」をフォルダ名とする患者ＩＤフォルダとの組に対応する。
【００６９】
未仕分フォルダ及び仕分フォルダには、仕分処理で仕分けされた画像データが格納される。例えば、「２０１５０８１７１０１００９」フォルダ内のコード無しフォルダには、図４に示したページ００１、００２の画像データが格納される。また、「２０１５０８１７１０１０１０」フォルダ内の「１０００１０１」フォルダには、図４に示したページ００３〜００５の画像データが格納される。また、「２０１５０８１４１７２０２０」フォルダ内の「１０００１０２」フォルダには、図４に示したページ００６〜０１０の画像データが格納される。つまり、記憶部５４は、仕分フォルダを介して、画像データを患者ＩＤに関連付けて記憶・管理する。
【００７０】
なお、画像データのファイル名に含まれる日時情報と、日時フォルダのフォルダ名に含まれる日時情報とが異なる場合、コードシンボル（コード情報）に含まれた日時情報を用いて日時フォルダが生成されたことを意味する。また、コード無しフォルダや患者ＩＤフォルダのフォルダ名に付された“＜数値＞”は、当該フォルダに格納された画像データの個数を意味する。
【００７１】
このように、仕分処理では、仕分処理装置５０は、正規のコードシンボルに含まれたコード情報（患者ＩＤ）に基づいて、コードシンボルの存在しない画像データや、コード情報が無効の画像データを仕分けする。これにより、図４に示したように、コードシンボル（コード情報）を含む紙文書と、当該コードシンボルを含まない紙文書とが混在する場合であっても、当該紙文書の電子データを効率的に仕分けすることができる。
【００７２】
［仕分結果確認処理］
次に、図９〜図１７を参照して、仕分結果確認処理に係る仕分処理装置５０の動作について説明する。図９は、仕分処理装置５０が実行する仕分結果確認処理の一例を示すフローチャートである。なお、本処理の前提として、仕分処理が完了しているものとする。
【００７３】
まず、表示制御部５１５は、操作入力部５７を介して所定の操作が行われると、図１０に示す仕分結果確認画面を表示部５６に表示させる（ステップＳ５１）。
【００７４】
図１０は、仕分結果確認画面の一例を示す図である。図１０に示すように、仕分結果確認画面Ｇ１は、第１領域Ａ１〜第４領域Ａ４の４つの表示領域を有する。
【００７５】
第１領域Ａ１は、第１の表示手段に対応する。第１領域Ａ１は、図８で説明した記憶部５４のフォルダ構造を選択操作に表示する。ユーザは、操作入力部５７を介して、第１領域Ａ１に表示されたフォルダ構造から、所望の画像データやフォルダ（未仕分フォルダ、仕分フォルダ）を選択することが可能である。
【００７６】
第２領域Ａ２は、画像データをプレビュー表示するための領域である。また、第２領域Ａ２は、プレビュー表示された画像データを操作するための操作子を有する。例えば、第２領域Ａ２は、画像データを９０度左回転させる左回転ボタンＢ１１と、画像データを９０度右回転させる右回転ボタンＢ１２とを有する。また、第２領域Ａ２は、画像データの表示サイズを変更する拡大縮小ゲージＢ１３、画像データのページ送りを指示するページ送りボタンＢ１４及び画像データの全体表示を指示する全体表示ボタンＢ１５を有する。
【００７７】
第３領域Ａ３は、第２の表示手段及び受付手段に対応する。第３領域Ａ３は、フォルダに格納された画像データのサムネイルを一覧表示するための領域である。第３領域Ａ３は、二つの一覧表示領域Ａ３１、Ａ３２を有し、この一覧表示領域Ａ３１、Ａ３２を用いて、互いに異なる二つのフォルダに格納された画像データ（サムネイル）を比較可能に表示する。これらの一覧表示領域Ａ３１、Ａ３２は、トグル操作によってアクティブ化又は非アクティブ化することができる。なお、一覧表示領域Ａ３１、Ａ３２は、何れか一方がアクティブ化された場合、他方が非アクティブとなるよう排他制御されているものとする。また、ユーザは、一覧表示領域Ａ３１、Ａ３２に表示された画像データ（サムネイル）に対し、選択や移動等の操作を行うことができる。
【００７８】
なお、図１０では、第３領域Ａ３に配置する一覧表示領域を二つとしたが、これに限らず、三つ以上としてもよい。また、図１０では、一覧表示領域を上下方向に並べて配置したが、これに限らず、左右方向に並べて配置してもよい。
【００７９】
第４領域Ａ４は、フォルダ又は画像データに設定された書誌情報を確認したり、当該書誌情報を設定（変更）したりするための領域である。書誌情報は、フォルダ又は画像データの単位で、患者ＩＤ、患者氏名、職員ＩＤ、職員氏名、診療科、日時情報（イベント日時）、文書分類、コメント等を設定することが可能である。ここで、文書分類の各項目は、仕分処理装置５０が予め保持する構成としてもよいし、文書管理サーバ１０から取得する構成としてもよい。また、書誌情報の入力は手動に限らず、文書管理サーバ１０が保持する情報を用いることも可能である。具体的には、患者ＩＤ又は職員ＩＤを入力した後、検索ボタンＢ２１又はＢ２２を操作することで、これら患者ＩＤ又は職員ＩＤに対応する患者名や職員名、診療科等を文書管理サーバ１０から取得することができる。なお、患者ＩＤは、画像データが格納された仕分フォルダのフォルダ名から自動で入力してもよい。
【００８０】
また、仕分結果確認画面Ｇ１は、画像データの編集及び登録に係る操作子を有する。例えば、仕分結果確認画面Ｇ１は、画像データやフォルダの単位で削除を指示するため削除ボタンＢ３１を有する。また、仕分結果確認画面Ｇ１は、編集操作の確定を指示するための一時保存ボタンＢ３２、編集操作の取り消しを指示するための編集取消ボタンＢ３３を有する。また、仕分結果確認画面Ｇ１は、文書管理サーバ１０への登録を指示するための登録ボタンＢ３４を有する。
【００８１】
図９に戻り、表示制御部５１５は、第１領域Ａ１からフォルダ（未仕分フォルダ又は仕分フォルダ）が選択されたか否かを判定する（ステップＳ５２）。フォルダが選択された場合（ステップＳ５２；Ｙｅｓ）、表示制御部５１５は、アクティブ化された一覧表示領域が存在するか否かを判定する（ステップＳ５３）。アクティブ化された一覧表示領域が存在する場合（ステップＳ５３；Ｙｅｓ）、表示制御部５１５は、選択されたフォルダに格納されている画像データのサムネイルを、アクティブ化された一覧表示領域に表示させ（ステップＳ５４）、ステップＳ５２に戻る。
【００８２】
図１１及び図１２を参照して、ステップＳ５４の表示制御について説明する。図１１及び図１２は、一覧表示領域Ａ３１、Ａ３２の表示制御を説明するための図である。ここで、一覧表示領域Ａ３１、Ａ３２のうち、上段の一覧表示領域Ａ３１がアクティブ化された後、一のフォルダ（未仕分フォルダ又は仕分フォルダ）が選択されたとする。この場合、表示制御部５１５は、図１１に示すように、一覧表示領域Ａ３１に、選択されたフォルダに格納されている画像データのサムネイルを表示させる。なお、ここでは、アクティブ化された一覧表示領域を太い囲み線で表している。
【００８３】
また、図１１に示した状態で、下段の一覧表示領域Ａ３２がアクティブ化された後、一覧表示領域Ａ３１に表示されたフォルダとは異なる他のフォルダが選択されたとする。この場合、表示制御部５１５は、図１２に示すように、一覧表示領域Ａ３２に、選択されたフォルダに格納されている画像データのサムネイルを表示させる。
【００８４】
図９に戻り、ステップＳ５３において、アクティブ化された一覧表示領域が存在しない場合（ステップＳ５３；Ｎｏ）、表示制御部５１５は、サムネイルが表示されていない空の一覧表示領域（以下、空き領域という）が存在するか否かを判定する（ステップＳ５５）。空き領域が存在する場合（ステップＳ５５；Ｙｅｓ）、表示制御部５１５は、その空き領域に、選択されたフォルダに格納されている各画像データのサムネイルを表示させ（ステップＳ５７）、ステップＳ５２に戻る。
【００８５】
また、ステップＳ５５において、空き領域が存在しない場合（ステップＳ５５；Ｎｏ）、表示制御部５１５は、何れか一方の一覧表示領域に表示された既存のサムネイルを消去することで空き領域を確保する（ステップＳ５６）。次いで、表示制御部５１５は、その空き領域に、選択されたフォルダに格納されている各画像データのサムネイルを表示させ（ステップＳ５７）、ステップＳ５２に戻る。
【００８６】
図１３〜１６を参照して、ステップＳ５５〜Ｓ５７の表示制御について説明する。ここで、図１３〜図１６は、一覧表示領域Ａ３１、Ａ３２の表示制御を説明するための図である。まず、一覧表示領域Ａ３１及び一覧表示領域Ａ３２は、共に空き領域で且つアクティブ化されていない状態とする。この状態で一のフォルダが選択されると、表示制御部５１５は、図１３に示すように、空き領域である上段の一覧表示領域Ａ３１に、選択されたフォルダに格納されている各画像データのサムネイルを表示させる。
【００８７】
また、図１３の状態で、一覧表示領域Ａ３１に表示されたフォルダとは異なる他のフォルダが選択されたとする。この場合、表示制御部５１５は、図１４に示すように、空き領域である下段の一覧表示領域Ａ３２に、選択されたフォルダに格納されている各画像データのサムネイルを表示させる。なお、図１３及び図１４では、上段の一覧表示領域Ａ３１から優先的に表示する例を説明したが、優先順位はこれに限らず、下段の一覧表示領域Ａ３２から優先的に表示してもよい。
【００８８】
一方、空き領域がない場合、表示制御部５１５は、例えば、図１５及び図１６に示すような表示制御を行う。図１５及び図１６は、ステップＳ５５で空き領域がないと判定された場合の表示制御を説明するための図であり、図１０に示した第３領域Ａ３（一覧表示領域Ａ３１、Ａ３２）を拡大したものである。
【００８９】
まず、一覧表示領域Ａ３１及び一覧表示領域Ａ３２は、図１４に示したように、共にサムネイルを表示し且つ非アクティブの状態であるとする。また、この状態で一覧表示領域Ａ３１及び一覧表示領域Ａ３２に表示されたフォルダとは異なる他のフォルダが選択されたとする。この場合、表示制御部５１５は、下段の一覧表示領域Ａ３２に表示されたサムネイルを消去し、上段の一覧表示領域Ａ３１に表示されたサムネイルを、空き領域となった下段の一覧表示領域Ａ３２にシフトして表示させる。次いで、表示制御部５１５は、空き領域となった上段の一覧表示領域Ａ３１に、選択されたフォルダに格納されている画像データのサムネイルを表示させる（図１５参照）。
【００９０】
また、図１５の状態で、一覧表示領域Ａ３１、Ａ３２に表示されたフォルダとは異なる他のフォルダが選択されたとする。この場合、表示制御部５１５は、先と同様、下段の一覧表示領域Ａ３２に表示されたサムネイルを消去し、上段の一覧表示領域Ａ３１に表示されたサムネイルを下段の一覧表示領域Ａ３２にシフトして表示させる。次いで、表示制御部５１５は、空き領域となった一覧表示領域Ａ３１に、選択されたフォルダに格納されている画像データのサムネイルを表示させる（図１６参照）。
【００９１】
このように、表示制御部５１５は、既存のサムネイルが表示される一覧表示領域を、予め定められた方向にシフトすることで空き領域を確保し、確保した空き領域に選択されたフォルダに格納されている画像データのサムネイルを表示させる。なお、図１５及び図１６では、上段から下段の方向にシフトする例を説明したが、これに限らず、下段から上段の方向にシフトしてもよい。また、例えば、選択された順序の古いフォルダのサムネイルを表示する一覧表示領域から優先的に消去することで空き領域を確保してもよい。また、サムネイルを消去した後、既存のサムネイルを表示する一覧表示領域をシフトしないよう制御してもよい。
【００９２】
図９に戻り、表示制御部５１５は、第１領域Ａ１に表示された画像データや第３領域Ａ３に表示されたサムネイルを介して、一の画像データを選択する操作を受け付けると（ステップＳ５２；Ｎｏ→ステップＳ５８；Ｙｅｓ）、ステップＳ５９の処理に移行する。ステップＳ５９において、表示制御部５１５は、選択された画像データを第２領域Ａ２にプレビュー表示する（ステップＳ５９）。また、選択された画像データや当該画像データを格納するフォルダに書誌情報が設定されている場合、表示制御部５１５は、その書誌情報を第４領域Ａ４に表示し（ステップＳ６０）、ステップＳ５２に戻る。
【００９３】
これにより、仕分処理装置５０を操作するユーザは、第２領域Ａ２に表示された画像データを見ながら、その内容を確認したり書誌情報を確認したりすることができる。また、仕分処理装置５０を操作するユーザは、第２領域Ａ２や第３領域Ａ３を介して画像データに対して編集操作を行ったり、第４領域Ａ４を介して書誌情報の設定や変更等を行ったりすることができる。
【００９４】
ここで、例えば、未仕分フォルダに格納された画像データを、特定の患者に仕分けするような場合、ユーザは以下の操作を行う。まず、図１７に示すように、未仕分フォルダ（コード無しフォルダ）と仕分け先の患者の仕分フォルダ（患者ＩＤフォルダ）とを選択し、これらフォルダのサムネイルを一覧表示領域Ａ３１及びＡ３２にそれぞれ表示させる。ここで、図１７は、一覧表示領域間でのサムネイルの移動操作を説明するための図である。
【００９５】
次いで、未仕分フォルダのサムネイルを表示している一方の一覧表示領域Ａ３１の中から仕分け対象のサムネイルを選択し、仕分フォルダのサムネイルを表示している他方の一覧表示領域Ａ３２に移動（ドラッグ＆ドロップ）させる。そして、ユーザは、一時保存ボタンＢ３２を操作することで、その編集操作を確定する。
【００９６】
図９において、編集処理部５１６は、一覧表示領域間でサムネイルを移動する操作を受け付けると（ステップＳ５１；Ｎｏ→ステップＳ５８；Ｎｏ→ステップＳ６１；Ｙｅｓ）、ステップＳ６２の処理を実行する。ステップＳ６２において、編集処理部５１６は、移動対象となったサムネイルに対応する画像データを、移動先の一覧表示領域に対応する仕分フォルダに移動させ（ステップＳ６２）、ステップＳ５２に戻る。フォルダ名に付される画像データの個数は、画像データの移動に伴い更新される。また、図１７に示したように、移動対象のサムネイルが既存のサムネイル間に挿入された場合には、挿入後のページ順序が保持されるものとする。
【００９７】
なお、一覧表示領域間の移動操作は、未仕分フォルダ−仕分フォルダ間に限らないものとする。例えば、仕分フォルダ−仕分フォルダ間で移動してもよい。また、図１３の状態のように、一方の一覧表示領域にサムネイルが表示されており、他方の一覧表示領域が空き領域の場合に、その空き領域にサムネイルを移動させることも可能であるとする。この場合、移動先のフォルダは存在しないため、編集処理部５１６は、未処理フォルダ内に新たなフォルダを生成し、当該フォルダ内に移動対象となった画像データを格納する。なお、新たに生成するフォルダの命名規則は特に問わないものとする。また、新たに生成したフォルダのフォルダ名や書誌情報は、第１領域Ａ１や第４領域Ａ４等を介して変更することが可能であるとする。
【００９８】
また、仕分処理装置５０のユーザは、第２領域Ａ２にプレビュー表示された画像データや、第３領域Ａ３の一覧表示領域に表示されたサムネイルを介して、画像データに各種の編集操作を行うことができる。例えば、ユーザは、特定の画像データ（サムネイル）を選択し、左回転ボタンＢ１１又は右回転ボタンＢ１２を操作した後、一時保存ボタンＢ３２を操作することで、対応する画像データのページ方向を変更することができる。また、ユーザは、一覧表示領域内に表示されたサムネイルの順序を入れ替えた後、一時保存ボタンＢ３２を操作することで、対応する画像データのページ順序を変更することができる。また、特定の画像データ（サムネイル）を選択した後、第４領域Ａ４から書誌情報を設定することで、対応する画像データに書誌情報を設定することができる。
【００９９】
図９において、編集処理部５１６は、画像データに対する編集操作を受け付けると（ステップＳ５１；Ｎｏ→ステップＳ５８；Ｎｏ→ステップＳ６１；Ｎｏ→ステップＳ６３；Ｙｅｓ）、ステップＳ６４の処理を実行する。ステップＳ６４において、編集処理部５１６は、編集対象の画像データに編集内容を反映し（ステップＳ６４）、ステップＳ５２に戻る。
【０１００】
例えば、左回転ボタンＢ１１又は右回転ボタンＢ１２の操作を受け付けた場合、編集処理部５１６は、対応する画像データのページ方向を操作内容に応じた角度に変更する。また、サムネイルの表示順序を入れ替える操作を受け付けた場合、編集処理部５１６は、入れ替え後のページ順序を保持する。また、書誌情報が設定された場合、編集処理部５１６は、対応する画像データに関連付けて書誌情報を保持する。
【０１０１】
このように、仕分結果確認処理では、仕分処理装置５０は、仕分結果確認画面を介したユーザ操作に応じて、画像データの仕分け先（格納先）や、画像データのページ順序等を変更する。これにより、仕分処理装置５０のユーザは、仕分け先の変更等を容易且つ効率的に行うことができるため、電子化された紙文書の仕分けに係る利便性を向上させることができる。また、コードシンボルを含む紙文書と、当該コードシンボルを含まない紙文書とが混在する場合であっても、ユーザは、一覧表示領域Ａ３１、Ａ３２に表示された未仕分フォルダ及び仕分フォルダのサムネイル（画像データ）を確認しながら仕分け先を編集することができるため、電子化された紙文書の仕分けに係る利便性を向上させることができる。
【０１０２】
［登録処理］
次に、図１８〜図２０を参照して、登録処理に係る仕分処理装置５０の動作について説明する。図１８は、仕分処理装置５０が実行する登録処理の一例を示すフローチャートである。なお、本処理は、上述した仕分結果確認処理のバックグラウンドで実行されるものである。
【０１０３】
まず、登録処理部５１７は、操作入力部５７を介して登録が指示されるまで待機する（ステップＳ７１；Ｎｏ）。ここで、例えば図１０に示す仕分結果確認画面Ｇ１において、ユーザにより、登録ボタンＢ３４が操作されると、登録処理部５１７は、登録が指示されたと判定する（ステップＳ７１；Ｙｅｓ）。ここで、仕分処理装置５０のユーザは、仕分フォルダの単位で、登録対象のフォルダを選択することができる。この仕分フォルダの選択は、第１領域Ａ１を介して行ってもよいし、仕分フォルダのサムネイルを表示している一覧表示領域をアクティブ化することで行ってもよい。
【０１０４】
登録処理部５１７は、登録が指示されると、登録対象の仕分フォルダが選択されているか否かを判定する（ステップＳ７２）。仕分フォルダが選択されていない場合や、未仕分フォルダが選択されている場合（ステップＳ７２；Ｎｏ）、登録処理部５１７は、ステップＳ７１に戻る。このとき、登録処理部５１７は、仕分フォルダの選択を促すメッセージを仕分結果確認画面に表示させてもよい。
【０１０５】
ステップＳ７２において、仕分フォルダが選択されている場合（ステップＳ７２；Ｙｅｓ）、登録処理部５１７は、選択された仕分フォルダ内の画像データに基づき、登録用の文書データを生成する（ステップＳ７３）。また、登録処理部５１７は、選択された仕分フォルダや当該仕分フォルダ内の画像データに設定された書誌情報に基づき、登録用の書誌データを生成する（ステップＳ７４）。ここで、文書データは、例えばＰＤＦデータであって、画像データのページ順序とページ方向とが保持される。また、書誌データは、例えばＣＳＶファイルであって、仕分フォルダに設定された書誌情報や、各ページ（画像データ）に設定された書誌情報を保持する。
【０１０６】
続いて、登録処理部５１７は、生成した文書データ及び書誌データを文書管理サーバ１０に送信することで登録を行う（ステップＳ７５）。そして、登録処理部５１７は、登録が完了すると、記憶部５４の「完了」フォルダ内に、選択された仕分フォルダを移動させ（ステップＳ７６）、本処理を終了する。
【０１０７】
図１９は、画像データの記憶・管理に係る記憶部５４のフォルダ構造の他の例を示す図である。この図１９では、図８の状態において、未仕分フォルダ（「２０１５０８１７１０１００９」／コード無しフォルダ）から、００１＿２０１５０８１７１０１００９．ｊｐｇが、「２０１５０８１７１０１０１０」／「１０００１０１」の仕分フォルダに移動された後、この仕分フォルダの登録が行われた後の状態を示している。同図に示すように、登録処理部５１７は、登録の対象となった「２０１５０８１７１０１０１０」／「１０００１０１」の仕分フォルダを登録済フォルダ内に移動することで、未処理フォルダ内から削除する。
【０１０８】
なお、図１９では、登録済フォルダへの移動に伴い、登録の対象となった仕分フォルダ（日時フォルダ）のファイル名を登録日時に変更しているが、これに限らず、元のファイル名を維持してもよい。また、登録時に生成した文書データ（ＰＤＦデータ）及び書誌データ（ＣＳＶファイル）を、患者ＩＤフォルダ内に追加しているが、これに限らず、文書データ及び書誌データを除外してもよい。また、文書データ及び書誌データのファイル名や命名規則は特に問わないものとする。図１９では、文書データ及び書誌データのファイル名を、［患者ＩＤ＿診療科コード＿登録日時］の命名規則で付与した例を示している。
【０１０９】
文書管理サーバ１０では、仕分処理装置５０から文書データ及び書誌データを受信すると、これらの文書データ及び書誌データのファイル名に含まれた患者ＩＤに関連付けてデータベース１１に登録する。例えば、図１９の登録済フォルダに格納された文書データ及び書誌データが説明・同意書であり、これらが２０１５年８月１７日に登録されたとすると、図２０に示すように、データベース１１には、これらの文書データ及び書誌データが１０００１０１の患者ＩＤに関連付けて登録される。
【０１１０】
ここで、図２０は、データベース１１が記憶・管理する文書データの他の例を示す図であり、図２に対応するものである。ここで、２０１５年８月１７日の説明・同意書が、上述した文書データ及び書誌データに対応する。
【０１１１】
このように、登録処理では、仕分フォルダの単位で、当該仕分フォルダに格納された画像データの登録を行うことができる。また、記憶部５４では、登録が完了した仕分フォルダと登録が未完了の仕分フォルダとを、異なるフォルダに格納しているため、登録済みか否かを容易に確認することができる。
【０１１２】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【０１１３】
例えば、上記の実施形態の仕分処理装置５０で実行されるプログラムは、インストール可能な形式または実行可能な形式のファイルでフロッピー（登録商標）ディスク、ＣＤ（Compact  Disc）、ＣＤ−Ｒ（Compact  Disc-Recordable）、ＣＤ−ＲＯＭ（Compact  Disc  Read  Only  Memory）、ＤＶＤ（Digital  Versatile  Disc）、ＳＤメモリカード（SD  memory  card）、ＵＳＢメモリ（Universal  Serial  Bus  memory）等のコンピュータで読み取り可能な記録媒体に記録して提供するように構成してもよい。
【０１１４】
また、上記実施形態の仕分処理装置５０で実行されるプログラムを、インターネット等のネットワークに接続されたコンピュータ上に格納し、ネットワーク経由でダウンロードさせること等により提供するように構成してもよい。
【０１１５】
また、上記の実施形態では、仕分処理装置５０は、スキャナ装置４０から画像データを直接取得する構成としたが、これに限らないものとする。例えば、図２１に示すように、スキャナ装置４０で読み取られた画像データを蓄積する画像蓄積サーバ６０をネットワークＮ１に接続し、仕分処理装置５０は、この画像蓄積サーバ６０から画像データを取得する構成としてもよい。ここで、図２１は、本実施形態に係る情報処理システムの構成の他の例を示す図である。
【０１１６】
また、上記の実施形態では、スキャナ装置４０と仕分処理装置５０とを別体としたが、これに限らず、一体としてもよい。また、仕分処理装置５０が備える機能の一部（例えば、検出部５１２及び判定部５１３）をスキャナ装置４０が備え、当該スキャナ装置４０で実現された機能部の処理結果を、画像データとともに仕分処理装置５０が取得する構成としてもよい。
【０１１７】
また、上記の実施形態では、コードシンボルを用紙に印字し、当該用紙を既存の紙文書に挿入する構成を説明したが、これに限らないものとする。例えば、コードシンボルをシール用紙等に印字し、当該コードシンボル部分のみを既存の紙文書に貼付する構成としてもよい。
【０１１８】
また、上記の実施形態では、各患者の紙文書の先頭ページに、コードシンボルを印字した用紙（仕切紙）を挿入する構成を説明したが、これに限らず、各患者の紙文書の末尾ページに仕切紙を挿入する構成としてもよい。なお、この構成を採用する場合には、上述した仕分処理での仕分基準も、仕切紙を位置に応じて変更するものとする。具体的には、コードシンボル（正規のコード情報）が検出されるまでに取得した画像データを、当該コード情報に対応する仕分フォルダに格納し、最後のコードシンボル（正規のコード情報）が検出された後に取得される画像データを、未仕分フォルダに格納する。
【０１１９】
より詳細には、仕分処理部５１４は、正規情報を含むコード情報が画像データのコードシンボルから読み取られると、その画像データと当該画像データまでに取得していた既存の画像データを同一の仕分フォルダに格納する。また、仕分処理部５１４は、画像データの末尾に達すると、この時点で仕分フォルダに格納されていない既存の画像データを、未仕分フォルダに格納する。これにより、上記の実施形態と同様、正規のコードシンボルに含まれたコード情報（患者ＩＤ）に基づいて、コードシンボルの存在しない画像データや、コード情報が無効の画像データを仕分けすることができる。
【０１２０】
また、上記の実施形態では、図７で説明した仕分処理において、先に読み取ったコード情報に含まれる患者ＩＤに基づき、患者ＩＤのない画像データを仕分けする構成を説明したが、仕分けの方法はこれに限らないものとする。以下、第１の実施形態の変形例として、仕分処理の他の形態について説明する。
【０１２１】
［変形例］
図２２は、仕分処理装置５０が実行する仕分処理の他の例を示すフローチャートである。なお、本変形例において、紙文書の読み取り順序は特に問わず、図４で説明した読み取り順序と同様としてもよいし、ランダムな順序としてもよい。
【０１２２】
まず、取得部５１１は、スキャナ装置４０から入力される画像データを取得する（ステップＳ８１）。検出部５１２は、取得部５１１が取得した画像データからコードシンボルを検出できるか否かを判定する（ステップＳ８２）。
【０１２３】
ステップＳ８２でコードシンボルが検出されない場合（ステップＳ８２；Ｎｏ）、仕分処理部５１４は、コードシンボルが存在しない画像データを格納するためのフォルダ（以下、シンボル無しフォルダという）が記憶部５４に存在するか否かを判定する（ステップＳ８３）。シンボル無しフォルダが存在しないと判定した場合（ステップＳ８３；Ｎｏ）、仕分処理部５１４は、シンボル無しフォルダを記憶部５４の未処理フォルダ内に生成する（ステップＳ８４）。そして、仕分処理部５１４は、生成したシンボル無しフォルダに画像データを格納し（ステップＳ８５）、ステップＳ９８に移行する。
【０１２４】
また、ステップＳ８３において、シンボル無しフォルダが存在する場合（ステップＳ８３；Ｙｅｓ）、仕分処理部５１４は、そのシンボル無しフォルダに画像データを格納し（ステップＳ８５）、ステップＳ９８に移行する。
【０１２５】
一方、ステップＳ８２でコードシンボルが検出された場合（ステップＳ８２；Ｙｅｓ）、判定部５１３は、検出部５１２により読み取られたコード情報が有効か否かを判定する（ステップＳ８６）。判定部５１３によりコード情報が無効と判定された場合（ステップＳ８６；Ｎｏ）、仕分処理部５１４は、コード情報が無効の画像データを格納するためのフォルダ（以下、無効フォルダ）が記憶部５４に存在するか否かを判定する（ステップＳ８７）。
【０１２６】
無効フォルダが存在しない場合（ステップＳ８７；Ｎｏ）、仕分処理部５１４は、無効フォルダを記憶部５４の未処理フォルダ内に生成する（ステップＳ８８）。そして、仕分処理部５１４は、生成した無効フォルダに画像データを格納し（ステップＳ８９）、ステップＳ９８に移行する。
【０１２７】
また、ステップＳ８７において、無効フォルダが存在する場合（ステップＳ８７；Ｙｅｓ）、仕分処理部５１４は、その無効フォルダに画像データを格納し（ステップＳ８９）、ステップＳ９８に移行する。なお、ステップＳ９０〜Ｓ９８は、図７で説明したステップＳ３８〜Ｓ４７と同様であるため説明を省略する。
【０１２８】
このように、本変形例の仕分処理によれば、コードシンボルのない画像データや、非正規のコードシンボルを有する画像データを、それぞれ異なるフォルダに仕分けすることができる。この場合においても、仕分結果確認画面の一覧表示画面を介してフォルダ単位で仕分け先を編集することができるため、患者ＩＤへの仕分けを容易に且つ効率的に行うことができる。
【符号の説明】
【０１２９】
１０  文書管理サーバ
１１  データベース
２０  端末装置
３０  プリンタ装置
４０  スキャナ装置
５０  仕分処理装置
６０  画像蓄積サーバ
５１１  取得部
５１２  検出部
５１３  判定部
５１４  仕分処理部
５１５  表示制御部
５１６  編集処理部
５１７  登録処理部
【先行技術文献】
【特許文献】
【０１３０】
【特許文献１】特開２００９−２０５４７７号公報
【図１】
2017173931.tif 000003
【図２】
2017173931.tif 000004
【図３】
2017173931.tif 000005
【図４】
2017173931.tif 000006
【図５】
2017173931.tif 000007
【図６】
2017173931.tif 000008
【図７】
2017173931.tif 000009
【図８】
2017173931.tif 000010
【図９】
2017173931.tif 000011
【図１０】
2017173931.tif 000012
【図１１】
2017173931.tif 000013
【図１２】
2017173931.tif 000014
【図１３】
2017173931.tif 000015
【図１４】
2017173931.tif 000016
【図１５】
2017173931.tif 000017
【図１６】
2017173931.tif 000018
【図１７】
2017173931.tif 000019
【図１８】
2017173931.tif 000020
【図１９】
2017173931.tif 000021
【図２０】
2017173931.tif 000022
【図２１】
2017173931.tif 000023
【図２２】
2017173931.tif 000024
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
スキャナにより読み取られた紙文書の画像データを処理する情報処理装置であって、
前記紙文書の画像データを、読み取られたページ単位で第１の識別情報と関連付けて保管する保管手段と、
前記紙文書に含まれる第１の識別情報を、当該紙文書の前記画像データから検出する検出手段と、
前記検出手段により前記第１の識別情報が検出されなかった無検出の前記画像データを、直前に検出された前記第１の識別情報と関連付けて前記保管手段に保管する第１の仕分手段と、
前記保管手段に保管された前記画像データに関連付く前記第１の識別情報を少なくとも含む１以上の識別情報を選択可能な選択リストを表示する第１の表示手段と、
前記選択リストの中から選択された１の識別情報に関連付く前記画像データの一覧を、画像データの一覧を表示する複数の一覧表示領域のうち指定の一覧表示領域に表示する第２の表示手段と、
前記指定の一覧表示領域に表示された前記画像データの一覧から指定された画像データを、他の一覧表示領域に移動する操作を受け付ける受付手段と、
前記他の一覧表示領域に、前記選択リストから選択された他の識別情報に関連付く前記画像データの一覧が表示された状態で、前記受付手段が前記操作を受け付けたことに応じて、前記指定された画像データの保管先を前記他の識別情報に変更する変更手段と、
前記保管手段が保管する前記第１の識別情報の単位で、当該第１の識別情報に関連付けられた前記画像データを外部装置に登録する登録手段と、
を備える情報処理装置。
【請求項２】
前記第１の仕分手段は、前記紙文書の画像データのうち、前記検出手段により前記第１の識別情報が検出されてから次の前記第１の識別情報が検出されるまでの間の全ての無検出の前記画像データを、共通する前記第１の識別情報に関連付けて前記保管手段に保管する請求項１に記載の情報処理装置。
【請求項３】
前記第１の識別情報を含むページの前記画像データに対して、前記第１の識別情報と関連付けて前記保管手段に保管するか否かを判定する第１の判定手段と、
前記第１の識別情報が検出された前記画像データを、当該第１の識別情報と関連付けて前記保管手段に保管する第２の仕分手段と、
を更に備える請求項１又は２に記載の情報処理装置。
【請求項４】
前記紙文書の画像データのうち、前記検出手段により最初に前記第１の識別情報が検出されたと判定された画像データよりも前に読み取られた画像データを、所定の第２の識別情報と関連付けて保管する第３の仕分手段を備え、
前記第１の表示手段は、前記第２の識別情報を含む前記識別情報を選択可能な前記選択リストを表示する請求項１〜３の何れか一項に記載の情報処理装置。
【請求項５】
前記画像データから、所定の記述形式の情報を取得する取得手段と、
前記第１の識別情報を検出する紙文書であることを示す正規情報が、前記所定の記述形式の情報に含まれるか否かを判定する第２の判定手段と、
を更に備え、
前記検出手段は、前記正規情報が含まれていると判定された場合に、前記正規情報を含むページに対応する前記画像データから前記第１の識別情報を検出する請求項１〜４の何れか一項に記載の情報処理装置。
【請求項６】
前記第１の表示手段は、前記登録手段により登録された前記第１の識別情報と、未登録の前記第１の識別情報とを識別可能に表示する請求項１に記載の情報処理装置。
【請求項７】
前記第２の表示手段は、複数の前記一覧表示領域を同一の画面内に表示する請求項１に記載の情報処理装置。
【請求項８】
前記第２の表示手段は、二つの前記一覧表示領域を同一の画面内に表示する請求項７に記載の情報処理装置。
【請求項９】
前記第２の表示手段は、前記一覧表示領域を上下方向又は左右方向に並べて表示する請求項７又は８に記載の情報処理装置。
【請求項１０】
前記第２の表示手段は、前記一覧表示領域の一つがユーザによって指定された状態で、前記識別情報が選択されると、当該識別情報に関連付く前記画像データの一覧を、指定された前記一覧表示領域に表示する請求項７〜９の何れか一項に記載の情報処理装置。
【請求項１１】
前記第２の表示手段は、前記一覧表示領域の何れもがユーザによって指定されていない状態で、前記識別情報が選択されると、前記画像データを表示していない空の前記一覧表示領域を指定し、当該一覧表示領域に選択された前記識別情報に関連付く前記画像データの一覧を表示する請求項７〜９の何れか一項に記載の情報処理装置。
【請求項１２】
前記第２の表示手段は、空の前記一覧表示領域が存在しない状態で、前記識別情報が選択されると、予め定められた前記一覧表示領域の表示を消去し、当該一覧表示領域に前記選択された前記識別情報に関連付く前記画像データの一覧を表示する請求項１１に記載の情報処理装置。
【請求項１３】
前記第２の表示手段は、空の前記一覧表示領域が存在しない状態で、前記識別情報が選択されると、選択順の古い識別情報に関連付く前記画像データの一覧を表示する前記一覧表示領域の表示を消去し、当該一覧表示領域に前記選択された前記識別情報に関連付く前記画像データの一覧を表示する請求項１１に記載の情報処理装置。
【請求項１４】
前記第１の識別情報は、コードシンボルにコード化された状態で前記紙文書に付され、
前記検出手段は、前記紙文書の前記画像データから取得された前記コードシンボルから前記第１の識別情報を検出する請求項１〜１３の何れか一項に記載の情報処理装置。
【請求項１５】
スキャナにより読み取られた紙文書の画像データを処理する情報処理装置と、前記画像データを管理する文書管理装置とを有する情報処理システムであって、
前記紙文書の画像データを、読み取られたページ単位で第１の識別情報と関連付けて保管する保管手段と、
前記紙文書に含まれる第１の識別情報を、当該紙文書の前記画像データから検出する検出手段と、
前記検出手段により前記第１の識別情報が検出されなかった無検出の前記画像データを、直前に検出された前記第１の識別情報と関連付けて前記保管手段に保管する第１の仕分手段と、
前記保管手段に保管された前記画像データに関連付く前記第１の識別情報を少なくとも含む１以上の識別情報を選択可能な選択リストを表示する第１の表示手段と、
前記選択リストの中から選択された１の識別情報に関連付く前記画像データの一覧を、画像データの一覧を表示する複数の一覧表示領域のうち指定の一覧表示領域に表示する第２の表示手段と、
前記指定の一覧表示領域に表示された前記画像データの一覧から指定された画像データを、他の一覧表示領域に移動する操作を受け付ける受付手段と、
前記他の一覧表示領域に、前記選択リストから選択された他の識別情報に関連付く前記画像データの一覧が表示された状態で、前記受付手段が前記操作を受け付けたことに応じて、前記指定された画像データの保管先を前記他の識別情報に変更する変更手段と、
前記保管手段が保管する前記第１の識別情報の単位で、当該第１の識別情報に関連付けられた前記画像データを前記文書管理装置に登録する登録手段と、
を備える情報処理システム。
【請求項１６】
スキャナにより読み取られた紙文書の画像データを処理する情報処理方法であって、
前記紙文書に含まれる第１の識別情報を、当該紙文書の画像データから検出する検出ステップと、
前記検出手段により前記第１の識別情報が検出されなかった無検出の前記画像データを、読み取られたページ単位で、直前に検出された前記第１の識別情報と関連付けて、保管手段に保管する第１の仕分ステップと、
前記保管手段に保管された前記画像データに関連付く前記第１の識別情報を少なくとも含む１以上の識別情報を選択可能な選択リストを表示する第１の表示ステップと、
前記選択リストの中から選択された１の識別情報に関連付く前記画像データの一覧を、画像データの一覧を表示する複数の一覧表示領域のうち指定の一覧表示領域に表示する第２の表示ステップと、
前記指定の一覧表示領域に表示された前記画像データの一覧から指定された画像データを、他の一覧表示領域に移動する操作を受け付ける受付ステップと、
前記他の一覧表示領域に、前記選択リストから選択された他の識別情報に関連付く前記画像データの一覧が表示された状態で、前記受付手段が前記操作を受け付けたことに応じて、前記指定された画像データの保管先を前記他の識別情報に変更する変更ステップと、
前記保管手段が保管する前記第１の識別情報の単位で、当該第１の識別情報に関連付けられた前記画像データを登録する登録ステップと、
を含む情報処理方法。
【請求項１７】
スキャナにより読み取られた紙文書の画像データを処理するコンピュータを、
前記紙文書の画像データを、読み取られたページ単位で第１の識別情報と関連付けて保管する保管手段と、
前記紙文書に含まれる第１の識別情報を、当該紙文書の前記画像データから検出する検出手段と、
前記検出手段により前記第１の識別情報が検出されなかった無検出の前記画像データを、直前に検出された前記第１の識別情報と関連付けて前記保管手段に保管する第１の仕分手段と、
前記保管手段に保管された前記画像データに関連付く前記第１の識別情報を少なくとも含む１以上の識別情報を選択可能な選択リストを表示する第１の表示手段と、
前記選択リストの中から選択された１の識別情報に関連付く前記画像データの一覧を、画像データの一覧を表示する複数の一覧表示領域のうち指定の一覧表示領域に表示する第２の表示手段と、
前記指定の一覧表示領域に表示された前記画像データの一覧から指定された画像データを、他の一覧表示領域に移動する操作を受け付ける受付手段と、
前記他の一覧表示領域に、前記選択リストから選択された他の識別情報に関連付く前記画像データの一覧が表示された状態で、前記受付手段が前記操作を受け付けたことに応じて、前記指定された画像データの保管先を前記他の識別情報に変更する変更手段と、
前記保管手段が保管する前記第１の識別情報の単位で、当該第１の識別情報に関連付けられた前記画像データを外部装置に登録する登録手段と、
して機能させるためのプログラム。
【請求項１８】
請求項１７に記載のプログラムを記憶する記憶媒体。
【手続補正２】
【補正対象書類名】明細書
【補正対象項目名】０００６
【補正方法】変更
【補正の内容】
【０００６】
上述した課題を解決し、目的を達成するために、本発明は、スキャナにより読み取られた紙文書の画像データを処理する情報処理装置であって、前記紙文書の画像データを、読み取られたページ単位で第１の識別情報と関連付けて保管する保管手段と、前記紙文書に含まれる第１の識別情報を、当該紙文書の前記画像データから検出する検出手段と、前記検出手段により前記第１の識別情報が検出されなかった無検出の前記画像データを、直前に検出された前記第１の識別情報と関連付けて前記保管手段に保管する第１の仕分手段と、前記保管手段に保管された前記画像データに関連付く前記第１の識別情報を少なくとも含む１以上の識別情報を選択可能な選択リストを表示する第１の表示手段と、前記選択リストの中から選択された１の識別情報に関連付く前記画像データの一覧を、画像データの一覧を表示する複数の一覧表示領域のうち指定の一覧表示領域に表示する第２の表示手段と、前記指定の一覧表示領域に表示された前記画像データの一覧から指定された画像データを、他の一覧表示領域に移動する操作を受け付ける受付手段と、前記他の一覧表示領域に、前記選択リストから選択された他の識別情報に関連付く前記画像データの一覧が表示された状態で、前記受付手段が前記操作を受け付けたことに応じて、前記指定された画像データの保管先を前記他の識別情報に変更する変更手段と、前記保管手段が保管する前記第１の識別情報の単位で、当該第１の識別情報に関連付けられた前記画像データを外部装置に登録する登録手段と、を備える。